(57)【特許請求の範囲】
【請求項１】
次の構成要件（Ａ01）〜（Ａ09）を備えたことを特徴とする定着装置、
（Ａ01）互いに回転しながら圧接する圧接領域により定着ニップを形成する加熱回転部材および加圧回転部材であって、未定着トナー像が形成された転写材が前記定着ニップを通過する際に前記未定着トナー像を加熱定着する前記加熱回転部材および加圧回転部材、
（Ａ02）前記加熱回転部材および加圧回転部材のうちの一方の回転部材の軸方向両端部を支持する固定フレーム、
（Ａ03）前記軸方向両端部の固定フレームにそれぞれ連結され且つ前記固定フレームへの連結時に前記固定フレームへの連結位置を調節可能な一対のガイド部材、
（Ａ04）前記加熱回転部材および加圧回転部材のうちの他方の回転部材の軸方向両端部をそれぞれ支持するとともに前記一対の各ガイド部材により前記他方の回転部材を前記一方の回転部材に圧接する圧接位置と前記一方の回転部材から離隔した離隔位置との間で移動可能にガイドされる一対の可動支持部材、
（Ａ05）前記ガイド部材と前記可動支持部材との間に配置されて前記可動支持部材を前記圧接位置に向けて加圧する加圧力を常時発生する弾性部材であって、前記ガイド部材の前記固定フレームへの連結位置に応じて前記加圧力が調節される前記弾性部材、
（Ａ06）前記固定フレームに連結するフレーム連結部と、バネ支持端部と、前記フレーム連結部およびバネ支持端部間を接続するロッド状のバネ装着部とを有するロッド状の前記ガイド部材、
（Ａ07）前記ロッド状ガイド部材の外周部に装着され且つ前記可動支持部材と前記バネ支持端部との間で圧縮された圧縮コイルバネにより構成された前記弾性部材、
（Ａ08）外周面に雄ネジが形成された前記フレーム連結部、および、前記雄ネジに螺合する雌ネジが設けられた前記固定フレーム、
（Ａ09）前記ロッド状ガイド部材が貫通して前記ロッド状ガイド部材の外周部にスライド移動可能に装着され且つ前記圧縮コイルバネとバネ支持端部との間に配置されたスライド部材。
【請求項２】
次の構成要件（Ａ01）〜（Ａ07），（Ａ010），（Ａ011）を備えたことを特徴とする定着装置、
（Ａ01）互いに回転しながら圧接する圧接領域により定着ニップを形成する加熱回転部材および加圧回転部材であって、未定着トナー像が形成された転写材が前記定着ニップを通過する際に前記未定着トナー像を加熱定着する前記加熱回転部材および加圧回転部材、
（Ａ02）前記加熱回転部材および加圧回転部材のうちの一方の回転部材の軸方向両端部を支持する固定フレーム、
（Ａ03）前記軸方向両端部の固定フレームにそれぞれ連結され且つ前記固定フレームへの連結時に前記固定フレームへの連結位置を調節可能な一対のガイド部材、
（Ａ04）前記加熱回転部材および加圧回転部材のうちの他方の回転部材の軸方向両端部をそれぞれ支持するとともに前記一対の各ガイド部材により前記他方の回転部材を前記一方の回転部材に圧接する圧接位置と前記一方の回転部材から離隔した離隔位置との間で移動可能にガイドされる一対の可動支持部材、
（Ａ05）前記ガイド部材と前記可動支持部材との間に配置されて前記可動支持部材を前記圧接位置に向けて加圧する加圧力を常時発生する弾性部材であって、前記ガイド部材の前記固定フレームへの連結位置に応じて前記加圧力が調節される前記弾性部材、
（Ａ06）前記固定フレームに連結するフレーム連結部と、バネ支持端部と、前記フレーム連結部およびバネ支持端部間を接続するロッド状のバネ装着部とを有するロッド状の前記ガイド部材、
（Ａ07）前記ロッド状ガイド部材の外周部に装着され且つ前記可動支持部材と前記バネ支持端部との間で圧縮された圧縮コイルバネにより構成された前記弾性部材、
（Ａ010）外周面に雄ネジが形成された前記フレーム連結部、および、前記フレーム連結部が貫通する貫通孔が設けられた前記固定フレーム、
（Ａ011）前記貫通孔を貫通したフレーム連結部の雄ネジに螺合するナット。
【請求項３】
次の構成要件（Ａ01）〜（Ａ09）を備えた定着装置の定着圧力調節方法において、次の構成要件（Ｂ01）〜（Ｂ03）を備えたことを特徴とする定着装置の定着圧力調節方法、
（Ａ01）互いに回転しながら圧接する圧接領域により定着ニップを形成する加熱回転部材および加圧回転部材であって、未定着トナー像が形成された転写材が前記定着ニップを通過する際に前記未定着トナー像を加熱定着する前記加熱回転部材および加圧回転部材、
（Ａ02）前記加熱回転部材および加圧回転部材のうちの一方の回転部材の軸方向両端部を支持する固定フレーム、
（Ａ03）前記軸方向両端部の固定フレームにそれぞれ連結され且つ前記固定フレームへの連結時に前記固定フレームへの連結位置を調節可能な一対のガイド部材、
（Ａ04）前記加熱回転部材および加圧回転部材のうちの他方の回転部材の軸方向両端部をそれぞれ支持するとともに前記一対の各ガイド部材により前記他方の回転部材を前記一方の回転部材に圧接する圧接位置と前記一方の回転部材から離隔した離隔位置との間で移動可能にガイドされる一対の可動支持部材、
（Ａ05）前記ガイド部材と前記可動支持部材との間に配置されて前記可動支持部材を前記圧接位置に向けて加圧する加圧力を常時発生する弾性部材であって、前記ガイド部材の前記固定フレームへの連結位置に応じて前記加圧力が調節される前記弾性部材、
（Ａ06）前記固定フレームに連結するフレーム連結部と、バネ支持端部と、前記フレーム連結部およびバネ支持端部間を接続するロッド状のバネ装着部とを有するロッド状の前記ガイド部材、
（Ａ07）前記ロッド状ガイド部材の外周部に装着され且つ前記可動支持部材と前記バネ支持端部との間で圧縮された圧縮コイルバネにより構成された前記弾性部材、
（Ａ08）外周面に雄ネジが形成された前記フレーム連結部、および、前記雄ネジに螺合する雌ネジが設けられた前記固定フレーム、
（Ａ09）前記ロッド状ガイド部材が貫通して前記ロッド状ガイド部材の外周部にスライド移動可能に装着され且つ前記圧縮コイルバネとバネ支持端部との間に配置されたスライド部材、
（Ｂ01）前記一対のガイド部材の前記固定フレームへの連結位置の調節が可能で且つ前記加熱回転部材および加圧回転部材が前記弾性部材により圧接された状態において、前記弾性部材を変形させる治具により、設定された荷重で前記弾性部材を変形させることによって、前記一対のガイド部材と前記可動支持部材との間に配置された一対の前記弾性部材による前記可動支持部材への加圧力が設定値となるように前記弾性部材を変形させる弾性部材変形工程、
（Ｂ02）前記加圧力が設定値となる状態に変形した弾性部材の形状が常時保持されるように前記固定フレームへの前記一対のガイド部材の連結位置を調節する連結位置調節工程、
（Ｂ03）前記治具を定着装置から離脱させる治具離脱工程。
【請求項４】
次の構成要件（Ａ01）〜（Ａ07），（Ａ010），（Ａ011）を備えた定着装置の定着圧力調節方法において、次の構成要件（Ｂ01）〜（Ｂ03）を備えたことを特徴とする定着装置の定着圧力調節方法、
（Ａ01）互いに回転しながら圧接する圧接領域により定着ニップを形成する加熱回転部材および加圧回転部材であって、未定着トナー像が形成された転写材が前記定着ニップを通過する際に前記未定着トナー像を加熱定着する前記加熱回転部材および加圧回転部材、
（Ａ02）前記加熱回転部材および加圧回転部材のうちの一方の回転部材の軸方向両端部を支持する固定フレーム、
（Ａ03）前記軸方向両端部の固定フレームにそれぞれ連結され且つ前記固定フレームへの連結時に前記固定フレームへの連結位置を調節可能な一対のガイド部材、
（Ａ04）前記加熱回転部材および加圧回転部材のうちの他方の回転部材の軸方向両端部をそれぞれ支持するとともに前記一対の各ガイド部材により前記他方の回転部材を前記一方の回転部材に圧接する圧接位置と前記一方の回転部材から離隔した離隔位置との間で移動可能にガイドされる一対の可動支持部材、
（Ａ05）前記ガイド部材と前記可動支持部材との間に配置されて前記可動支持部材を前記圧接位置に向けて加圧する加圧力を常時発生する弾性部材であって、前記ガイド部材の前記固定フレームへの連結位置に応じて前記加圧力が調節される前記弾性部材、
（Ａ06）前記固定フレームに連結するフレーム連結部と、バネ支持端部と、前記フレーム連結部およびバネ支持端部間を接続するロッド状のバネ装着部とを有するロッド状の前記ガイド部材、
（Ａ07）前記ロッド状ガイド部材の外周部に装着され且つ前記可動支持部材と前記バネ支持端部との間で圧縮された圧縮コイルバネにより構成された前記弾性部材、
（Ａ010）外周面に雄ネジが形成された前記フレーム連結部、および、前記フレーム連結部が貫通する貫通孔が設けられた前記固定フレーム、
（Ａ011）前記貫通孔を貫通したフレーム連結部の雄ネジに螺合するナット、
（Ｂ01）前記一対のガイド部材の前記固定フレームへの連結位置の調節が可能で且つ前記加熱回転部材および加圧回転部材が前記弾性部材により圧接された状態において、前記弾性部材を変形させる治具により設定された荷重で前記弾性部材を変形させることによって、前記一対のガイド部材と前記可動支持部材との間に配置された一対の前記弾性部材による前記可動支持部材への加圧力が設定値となるように前記弾性部材を変形させる弾性部材変形工程、
（Ｂ02）前記加圧力が設定値となる状態に変形した弾性部材の形状が常時保持されるように前記固定フレームへの前記一対のガイド部材の連結位置を調節する連結位置調節工程、
（Ｂ03）前記治具を定着装置から離脱させる治具離脱工程。
【発明の詳細な説明】
【０００１】
【発明の属する技術分野】
本発明は、電子写真複写機、レーザービームプリンター等の画像形成装置において記録シート上に形成したトナー像を加熱定着する定着装置に関し、特に、互いに圧接して回転する加熱回転部材および加圧回転部材を有し、それらの圧接領域により形成される定着ニップを通過する記録シート上のトナー像を加熱、加圧して定着する定着装置に関する。
【０００２】
【従来の技術】
前記種類の定着装置において、加熱回転部材および加圧回転部材を圧接させるために、一方の回転部材を固定フレームにより回転可能に支持し、他方の回転部材の軸方向両端部を弾性部材の弾性力によって前記一方の回転部材に向けて加圧する加圧機構を設けたものが従来公知である。
このような加圧機構を設けた定着装置では、加圧回転部材の軸方向両端にそれぞれ加圧力を作用させる一対の弾性部材が、それぞれ独立して配置されているため、一対の弾性部材のバネ定数のバラツキや、弾性部材の組付け時の組付け誤差等により、加熱回転部材および加圧回転部材の間に発生するニップ荷重（圧接力）に不均衡が発生してしまう。このニップ荷重の不均衡により、画質低下や転写材のしわの発生等を引き起こすという問題点があった。
【０００３】
前記問題点を解決するため、次の従来技術（Ｊ01），（Ｊ02）が提案されている。
（Ｊ01）特開昭６４−８０９７９号公報記載の技術
この公報に記載された定着装置は、加圧回転部材の軸受け両端部を、バネにより付勢された単一の支持部材で圧接する構造とすることで、加熱回転部材および加圧回転部材の間に発生するニップ荷重の不均衡を解消しようとしている。
（Ｊ02）特開平１０−８３１２９号公報記載の技術
この公報には定着装置の一対の定着用の回転部材のうちの一方の回転部材を固定フレームに支持し、他方を回転部材（加圧回転部材）の両端にワイヤガイドを介して一本のワイヤを巻きつけ、ワイヤの一端に弾性部材を連結する構造とすることにより、一対の回転部材の間に発生するニップ荷重の不均衡を解消しょうとしている。
【０００４】
【発明が解決しようとする課題】
（前記従来技術（Ｊ01）の問題点）
定着装置の加圧回転部材の軸受両端部をバネにより付勢された単一の支持部材で圧接する構造では、軸受両端部に加圧力を伝達する支持部材に寸法差があり、バネから軸受け両端部までの距離に差が生じると、加熱回転部材と加圧回転部材との間に発生するニップ荷重が不均一となる。このため、前記単一の支持部材を高精度に製作する必要が生じるために、支持部材のコストが高いものになってしまう。さらに、使用するバネのバネ定数にはバラツキが有り且つ、バネにより発生する荷重がニップ部の総荷重となるために、各定着装置におけるニップ部の総荷重を一定とすることが困難である。
【０００５】
（前記従来技術（Ｊ02）の問題点）
一本のワイヤを加圧回転部材の両端に巻付け、ワイヤの一端に弾性部材を連結する構造においても、ワイヤガイドとワイヤとの間に発生する摩擦抵抗により加圧回転部材の一端と他端に加わる加圧力に差が生じるためにニップ荷重が不均一となる。さらに、使用するバネのバネ定数にはバラツキが有り且つ、バネにより発生する荷重がニップ部の総荷重となるために、各定着装置におけるニップ部の総荷重を一定とすることが困難である。
【０００６】
本発明は、前述の事情に鑑み、下記（Ｏ01），（Ｏ02）の記載内容を課題とする。
（Ｏ01）加熱回転部材および加圧回転部材の圧接領域である定着ニップのニップ荷重を均一にすること。
（Ｏ02）各定着装置における定着ニップの総荷重を一定とすることが可能な定着装置を提供すること。
【０００７】
【課題を解決するための手段】
次に、前記課題を解決するために案出した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【０００８】
（本発明）
前記課題を解決するために、本発明の定着装置は、次の構成要件（Ａ01）〜（Ａ09）を備えたことを特徴とする。
（Ａ01）互いに回転しながら圧接する圧接領域により定着ニップ（Ｑ５）を形成する加熱回転部材（Ｆｈ）および加圧回転部材（Ｆｐ）であって、未定着トナー像が形成された転写材（Ｓ）が前記定着ニップ（Ｑ５）を通過する際に前記未定着トナー像を加熱定着する前記加熱回転部材（Ｆｈ）および加圧回転部材（Ｆｐ）、
（Ａ02）前記加熱回転部材（Ｆｈ）および加圧回転部材（Ｆｐ）のうちの一方の回転部材の軸方向両端部を支持する固定フレーム（１，２）、
（Ａ03）前記軸方向両端部の固定フレーム（１，２）にそれぞれ連結され且つ前記固定フレーム（１，２）への連結時に前記固定フレーム（１，２）への連結位置を調節可能な一対のガイド部材（６，６）、
（Ａ04）前記加熱回転部材（Ｆｈ）および加圧回転部材（Ｆｐ）のうちの他方の回転部材の軸方向両端部をそれぞれ支持するとともに前記一対の各ガイド部材（６）により前記他方の回転部材を前記一方の回転部材に圧接する圧接位置と前記一方の回転部材から離隔した離隔位置との間で移動可能にガイドされる一対の可動支持部材（３，４）、
（Ａ05）前記ガイド部材（６）と前記可動支持部材（３，４）との間に配置されて前記可動支持部材（３，４）を前記圧接位置に向けて加圧する加圧力を常時発生する弾性部材（７）であって、前記ガイド部材（６）の前記固定フレーム（１，２）への連結位置に応じて前記加圧力が調節される前記弾性部材（７）、
（Ａ06）前記固定フレーム（１，２）に連結するフレーム連結部（６ａ）と、バネ支持端部（６ｂ）と、前記フレーム連結部（６ａ）およびバネ支持端部（６ｂ）間を接続するロッド状のバネ装着部（６ｃ）とを有するロッド状の前記ガイド部材（６）、
（Ａ07）前記ロッド状ガイド部材（６）の外周部に装着され且つ前記可動支持部材（３，４）と前記バネ支持端部（６ｂ）との間で圧縮された圧縮コイルバネ（７）により構成された前記弾性部材（７）、
（Ａ08）外周面に雄ネジが形成された前記フレーム連結部（６ａ）、および、前記雄ネジに螺合する雌ネジが設けられた前記固定フレーム（１，２）、
（Ａ09）前記ロッド状ガイド部材（６）が貫通して前記ロッド状ガイド部材（６）の外周部にスライド移動可能に装着され且つ前記圧縮コイルバネ（７）とバネ支持端部（６ｂ）との間に配置されたスライド部材（８，８′）。
【０００９】
（本発明の作用）
前記構成を備えた本発明の定着装置では、互いに回転しながら圧接する圧接領域により定着ニップ（Ｑ５）を形成する加熱回転部材（Ｆｈ）および加圧回転部材（Ｆｐ）は、未定着トナー像が形成された転写材（Ｓ）が前記定着ニップ（Ｑ５）を通過する際に前記未定着トナー像を加熱定着する。
固定フレーム（１，２）は、前記加熱回転部材（Ｆｈ）および加圧回転部材（Ｆｐ）のうちの一方の回転部材の軸方向両端部を支持する。前記軸方向両端部の固定フレーム（１，２）にそれぞれ連結される一対のロッド状のガイド部材（６，６）は、固定フレーム（１，２）に設けられた雌ネジに螺合する雄ネジが外周面に形成され且つ前記固定フレーム（１，２）に連結されるフレーム連結部（６ａ）と、バネ支持端部（６ｂ）と、前記フレーム連結部（６ａ）およびバネ支持端部（６ｂ）間を接続するロッド状のバネ装着部（６ｃ）とを有し、前記固定フレーム（１，２）への連結時に前記固定フレーム（１，２）への連結位置を調節する。
前記加熱回転部材（Ｆｈ）および加圧回転部材（Ｆｐ）のうちの他方の回転部材の軸方向両端部をそれぞれ支持する一対の可動支持部材（３，４）は、前記一対の各ガイド部材（６）により前記他方の回転部材を前記一方の回転部材に圧接する圧接位置と前記一方の回転部材から離隔した離隔位置との間で移動可能にガイドされる。
【００１０】
前記ロッド状ガイド部材（６）の外周部に装着された圧縮コイルバネ（７）により構成された前記弾性部材（７）は、前記ロッド状ガイド部材（６）が貫通して前記ロッド状ガイド部材（６）の外周部にスライド移動可能に装着され且つ前記圧縮コイルバネ（７）とバネ支持端部（６ｂ）との間に配置されたスライド部材（８，８′）と、前記可動支持部材（３，４）との間で圧縮されている。
したがって、前記弾性部材（７）は、前記ガイド部材（６）の前記固定フレーム（１，２）への連結位置に応じて前記加圧力を調節するとともに、前記可動支持部材（３，４）を前記圧接位置に向けて加圧する加圧力を常時発生する。
ガイド部材（６）の前記固定フレーム（１，２）への連結位置に応じて前記加熱回転部材（Ｆｈ）および加圧回転部材（Ｆｐ）の加圧力を調節することができるので、前記ガイド部材（６）の前記固定フレーム（１，２）への連結時に、前記弾性部材（７）に作用する力が設定値となるように連結することにより、前記軸方向両端部の加圧力を同一の値に調節することができる。その場合、加熱回転部材（Ｆｈ）および加圧回転部材（Ｆｐ）の圧接領域である定着ニップのニップ荷重を均一にすることができる。また、前記本発明は、各定着装置における定着ニップの総荷重を一定とすることが可能な定着装置を提供することができる。
【００１２】
特に、前記構成要件（Ａ08），（Ａ09）を備えた本発明の定着装置では、ロッド状ガイド部材（６）のフレーム連結部（６ａ）の外周面に形成された雄ネジを、固定フレーム（１，２）の雌ネジに螺合させて連結する際に、前記圧縮コイルバネ（７）に作用する力が設定値となるように連結することができる。
前記ロッド状ガイド部材（６）の外周部にスライド移動可能に装着され且つ前記圧縮コイルバネ（７）とバネ支持端部（６ｂ）との間に配置されたスライド部材（８，８′）を移動させることにより、前記圧縮コイルバネ（７）に作用する力を容易に設定値とすることができる。
【００１３】
本発明の定着装置は、前記構成要件（Ａ01）〜（Ａ07）に加えてさらに、次の構成要件（Ａ010），（Ａ011）を備えることが可能である。
（Ａ010）外周面に雄ネジが形成された前記フレーム連結部（６ａ）、および、前記フレーム連結部（６ａ）が貫通するロッド連結用貫通孔（１ａ2）が設けられた前記固定フレーム（１，２）、
（Ａ011）前記ロッド連結用貫通孔（１ａ2）を貫通したフレーム連結部（６ａ）の雄ネジに螺合するナット（ＮＴ）。
前記構成要件（Ａ01）〜（Ａ07），（Ａ010），（Ａ011）を備えた本発明の定着装置では、ロッド状ガイド部材（６）のフレーム連結部（６ａ）の外周面に形成された雄ネジを、固定フレーム（１，２）に貫通させた状態で、前記圧縮コイルバネ（７）に作用する力が設定値となるようにロッド状ガイド部材（６）を移動させてから前記フレーム連結部（６ａ）の雄ネジにナット（ＮＴ）を螺合させることにより前記圧縮コイルバネ（７）に作用する力を容易に設定値とすることができる。
【００１４】
また、本発明の定着装置の定着圧力調節方法は、前記構成要件（Ａ01）〜（Ａ09）または構成要件（Ａ01）〜（Ａ07），（Ａ010），（Ａ011）を備えた定着装置の定着圧力調節方法において、次の構成要件（Ｂ01）〜（Ｂ03）を備えたことを特徴とする。
（Ｂ01）前記一対のガイド部材（６，６）の前記固定フレーム（１，２）への連結位置の調節が可能で且つ前記加熱回転部材（Ｆｈ）および加圧回転部材（Ｆｐ）が前記弾性部材（７）により加圧された状態において、前記弾性部材（７）を変形させる治具（Ｔ）により設定された荷重で前記弾性部材（７）を変形させることによって、前記一対のガイド部材（６，６）と前記可動支持部材（３，４）との間に配置された一対の前記弾性部材（７）による前記可動支持部材（３，４）の加圧力が設定値となるように前記弾性部材（７）を変形させる弾性部材変形工程。
（Ｂ02）前記加圧力が設定値となる状態に変形した弾性部材（７）の形状が常時保持されるように前記固定フレーム（１，２）への前記一対のガイド部材（６，６）の連結位置を調節する連結位置調節工程。
（Ｂ03）前記治具（Ｔ）を定着装置から離脱させる治具離脱工程。
【００１５】
前記構成を備えた本発明の定着装置の定着圧力調節方法では、前記構成要件（Ａ01）〜（Ａ09）を備えた定着装置の定着圧力を調節する場合、弾性部材変形工程（Ｂ01）において、一対のガイド部材（６，６）の前記固定フレーム（１，２）への連結位置の調節が可能で且つ前記加熱回転部材（Ｆｈ）および加圧回転部材（Ｆｐ）が前記弾性部材（７）により加圧された状態において、前記弾性部材（７）を変形させる治具（Ｔ）により設定された荷重で前記スライド部材（８，８′）をガイド部材に対してスライド移動させて前記弾性部材（７）を変形させることによって、ロッド状ガイド部材（６）の外周部に装着され且つ前記可動支持部材（３，４）と前記バネ支持端部（６ｂ）との間で圧縮された弾性部材（７）による前記可動支持部材（３，４）の加圧力が設定値となるように前記弾性部材（７）を変形させる。
次に連結位置調節工程（Ｂ02）において、前記加圧力が設定値となる状態に変形した弾性部材（７）の形状が常時保持されるように前記固定フレーム（１，２）への前記一対のガイド部材（６，６）の連結位置を調節する。
治具離脱工程（Ｂ03）において、前記治具（Ｔ）を定着装置から離脱させる。
前記各工程により、前記一対のガイド部材（６，６）と前記可動支持部材（３，４）との間に配置された一対の前記弾性部材（７）による前記可動支持部材（３，４）の加圧力を設定値に設定することができる。したがって、加熱回転部材（Ｆｈ）および加圧回転部材（Ｆｐ）の圧接領域である定着ニップのニップ荷重を前記定着ニップの両端部で同一の値に設定することができる。
また、前記本発明の定着装置の定着圧力調節方法は、各定着装置における定着ニップの総荷重を一定とすることができる。
【００１６】
また、前記構成要件（Ａ01）〜（Ａ07），（Ａ010），（Ａ011）を備えた定着装置の定着圧力を調節する場合、弾性部材変形工程（Ｂ01）において、一対のガイド部材（６，６）の前記固定フレーム（１，２）への連結位置の調節が可能で且つ前記加熱回転部材（Ｆｈ）および加圧回転部材（Ｆｐ）が前記弾性部材（７）により加圧された状態において、前記弾性部材（７）を変形させる治具（Ｔ）により設定された荷重で前記ガイド部材（６，６）を固定フレーム（１，２）に対して移動させて前記弾性部材（７）を変形させることによって、ロッド状ガイド部材（６）の外周部に装着され且つ前記可動支持部材（３，４）と前記バネ支持端部（６ｂ）との間で圧縮された弾性部材（７）による前記可動支持部材（３，４）の加圧力が設定値となるように前記弾性部材（７）を変形させる。
次に連結位置調節工程（Ｂ02）において、前記加圧力が設定値となる状態に変形した圧縮コイルバネ（７）の形状が常時保持されるように前記固定フレーム（１，２）への前記一対のロッド状のガイド部材（６）の連結位置を調節する。
治具離脱工程（Ｂ03）において、前記治具（Ｔ）を定着装置から離脱させる。
前記各工程により、前記一対のガイド部材（６，６）と前記可動支持部材（３，４）との間に配置された一対の前記圧縮コイルバネ（７）による前記可動支持部材（３，４）の加圧力を設定値に設定することができる。したがって、加熱回転部材（Ｆｈ）および加圧回転部材（Ｆｐ）の圧接領域である定着ニップのニップ荷重を前記定着ニップの両端部で同一の値に設定することができる。
また、前記本発明の定着装置の定着圧力調節方法は、各定着装置における定着ニップの総荷重を一定とすることができる。
【００１７】
【発明の実施の形態】
（実施例）
次に図面を参照しながら、本発明の実施の形態を説明するが、本発明は以下の実施の形態に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００１８】
（実施例１）
図１は本発明の実施例１の定着装置を備えた定着装置を有するカラー画像形成装置の説明図である。
図１において、画像形成装置Ｕは、自動原稿搬送装置Ｕ1とこれを支持するプラテンガラスＰＧを有する画像形成装置本体（複写機）Ｕ2とを備えている。
前記自動原稿搬送装置Ｕ1は、複写しようとする複数の原稿Ｇｉが重ねて載置される原稿給紙トレイＴＧ1と、原稿給紙トレイＴＧ1から前記プラテンガラスＰＧ上の複写位置（原稿読取位置）を通過して搬送される原稿Ｇｉが排出される原稿排紙トレイＴＧ2とを有している。
前記画像形成装置本体Ｕ２は、ユーザがコピースタート等の作動指令信号を入力操作するＵＩ（ユーザインタフェース）、露光光学系Ａ等を有している。
前記自動原稿搬送装置Ｕ１でプラテンガラスＰＧ上を搬送される原稿または手動でプラテンガラスＰＧ上に置かれた原稿（図示せず）からの反射光は、前記露光光学系Ａを介して、ＣＣＤ（固体撮像素子）でＲ（赤）、Ｇ（緑）、Ｂ（青）の電気信号に変換される。
ＩＰＳ（イメージプロセッシングシステム）は、前記ＲＧＢの電気信号をＹ（イエロー）、Ｍ（マゼンタ）、Ｃ（シアン）、Ｋ（黒）の画像データに変換して一時的に記憶し、前記画像データを所定のタイミングでレーザ駆動回路ＤＬに出力する。前記ＩＰＳおよびレーザ駆動回路ＤＬはコントローラＣにより制御されている。
【００１９】
矢印Ｙａ方向に回転移動する像担持体ＰＲの表面は、帯電ロールＣＲにより一様に帯電され、潜像書込位置Ｑ1、現像領域Ｑ2、および１次転写領域Ｑ3を順次通過する。
前記レーザ駆動回路ＤＬにより駆動されるＲＯＳ（潜像書込装置）は、レーザビームＬにより前記潜像書込位置Ｑ1において露光走査し像担持体ＰＲ表面に静電潜像を形成する。フルカラー画像を形成する場合は、Ｙ（イエロー）、Ｍ（マゼンタ）、Ｃ（シアン）、Ｋ（黒）の４色の画像に対応した静電潜像が順次形成され、モノクロ画像の場合はＫ（黒）画像に対応した静電潜像のみが形成される。
【００２０】
ロータリ式の現像装置Ｇは、回転軸Ｇａの回転に伴って前記現像領域Ｑ2に順次回転移動するＹ（イエロー）、Ｍ（マゼンタ）、Ｃ（シアン）、Ｋ（黒）の４色の現像器ＧＹ，ＧＭ，ＧＣ，ＧＫを有している。前記各色の現像器ＧＹ，ＧＭ，ＧＣ，ＧＫは、前記現像領域Ｑ2に現像剤を搬送する現像ロールＧＲを有しており、現像領域Ｑ2を通過する像担持体ＰＲ上の静電潜像をトナー像Ｔｎに現像する。
【００２１】
前記像担持体ＰＲの下方には左右一対のスライドレールＳＲ，ＳＲによりスライドフレームＦ１（２点鎖線で表示）が前後（紙面に垂直な方向）にスライド移動可能に支持されている。スライドフレームＦ１にはベルトモジュールＢＭのベルトフレームＦ２がヒンジ軸Ｆ２a周りに上下に回動可能に支持されている。
前記ベルトモジュールＢＭは、前記中間転写ベルトＢを矢印Ｙｂ方向に回転移動可能に支持する複数のベルト支持ロール（Ｒｄ，Ｒｔ，Ｒｆ，Ｔ２a）と、１次転写ロールＴ１と、コンタクトロールＴ２cと、それらを支持する前記ベルトフレームＦ２とを有している。
前記複数のベルト支持ロール（Ｒｄ，Ｒｔ，Ｒｆ，Ｔ２a）は、ベルト駆動ロールＲｄ、テンションロールＲｔ、アイドラロール（フリーロール）ＲｆおよびバックアップロールＴ２aを含み、バックアップロールＴ２aには前記コンタクトロールＴ２cが当接している。
【００２２】
前記ベルトモジュールＢＭは、前記ヒンジ軸Ｆ２a周りに上下に回動可能であり、下方に回動した状態では、前記スライドフレームＦ１とともに前記像担持体ＰＲと摩擦接触することなく、画像形成装置本体Ｕ２に対して出入可能である。
前記１次転写器Ｔ１は、コントローラＣが制御する電源回路Ｅによりトナーの帯電極性と逆極性の転写電圧が印加され、前記像担持体ＰＲ表面のトナー像Ｔｎを、１次転写領域Ｑ3において中間転写ベルトＢに１次転写する。フルカラー画像の場合、像担持体ＰＲ表面に順次形成される各色のトナー像Ｔｎは、前記１次転写領域Ｑ3において中間転写ベルトＢ表面に順次重ねて１次転写され、最終的にフルカラーの多重トナー像が中間転写ベルトＢ上に形成される。
単色のモノカラー画像を形成する場合には１個の現像器のみを使用し、単色トナー像が中間転写ベルトＢ上に１次転写される。
１次転写後、像担持体ＰＲ表面は、残留トナーが像担持体クリーナＣＬpによりクリーニングされ、除電ロールＪＲにより除電される。
【００２３】
前記バックアップロールＴ２aの下方には、左右一対のスライドレールＳＲ，ＳＲにより前後（紙面に垂直な方向）にスライド移動可能な２次転写スライドフレームＦsが、画像形成装置本体Ｕ２に対して着脱可能に支持されている。前記２次転写スライドフレームＦsには２次転写ユニットＵtの２次転写昇降フレームＦtがヒンジ軸Ｆta周りに上下に回動可能に支持されている。２次転写ユニットＵtは下方に回動した状態では前記ベルトモジュールＢＭと摩擦接触することなく、画像形成装置本体Ｕ２に対して出入可能である。
前記２次転写ユニットＵtは、２次転写ロールＴ２bと、２次転写ロールクリーナＣＬtと、ロール支持レバーＬｒと、転写後シートガイドＳＧ2と、シート搬送ベルトＢＨと、それらを支持する前記２次転写昇降フレームＦtと、を有している。
【００２４】
前記ロール支持レバーＬｒは、前記２次転写ロールＴ２bおよび２次転写ロールクリーナＣＬtを支持するレバーであり、図示しないモータによりヒンジ軸Ｌａ周りに回動され、前記２次転写ロールＴ２bを、前記中間転写ベルトＢに接触する２次転写位置および中間転写ベルトＢから離れた待機位置の間で移動させる。
前記２次転写ロールＴ２bおよび前記中間転写ベルトＢの接触領域により２次転写領域Ｑ4が形成され、前記２次転写ロールＴ２b、前記バックアップロールＴ２aおよびコンタクトロールＴ２cにより２次転写器Ｔ２が構成されている。
【００２５】
給紙トレイＴＲ1に収容された記録シート（転写材）Ｓは、所定のタイミングでピックアップロールＲｐにより取り出され、さばきロールＲｓで１枚ずつ分離されて、レジロールＲｒに搬送される。前記レジロールＲｒに搬送された記録シートＳは、前記１次転写された多重トナー像または単色トナー像が２次転写領域Ｑ4に移動するのにタイミングを合わせて、転写前シートガイドＳＧ1から２次転写領域Ｑ4に搬送される。
前記２次転写領域Ｑ4を記録シートＳが通過する際、２次転写器Ｔ２のコンタクトロールＴ２cには、コントローラＣが制御する電源回路Ｅからトナーの帯電極性と同極性の２次転写電圧が印加される。前記２次転写器Ｔ２は、前記中間転写ベルトＢに重ねて１次転写されたカラートナー像を前記２次転写領域Ｑ4において一括して記録シートＳに２次転写する。
２次転写後の中間転写ベルトＢはベルトクリーナＣＬbにより残留トナーが除去される。また、前記２次転写ロールＴ２bは２次転写ロールクリーナＣＬtにより表面付着トナーが回収される。
【００２６】
なお、前記２次転写ロールＴ２bおよびベルトクリーナＣＬbは、中間転写ベルトＢと離接（離隔および接触）自在に配設されており、カラー画像が形成される場合には最終色の未定着トナー像が中間転写ベルトＢに１次転写されるまで、中間転写ベルトＢから離隔している。なお、前記２次転写ロールクリーナＣＬtは、前記２次転写ロールＴ２bと一緒に離接移動を行う。
トナー像が２次転写された前記記録シートＳは、転写後シートガイドＳＧ2、シート搬送ベルトＢＨにより定着ニップＱ５に搬送される。定着ニップＱ５は、加熱ロールＦｈおよび加圧ベルトＦｐの圧接領域により形成される領域である。前記記録シートＳは、定着ニップＱ５を通過する際に前記加熱ロールＦｈおよび加圧ベルトＦｐを有する定着装置Ｆにより加熱定着される。トナー像が定着された記録シートＳは、記録シート排出トレイＴＲ2に排出される。
前記符号Ｒｐ，Ｒｓ，Ｒｒ，ＳＧ1，ＳＧ2，ＢＨで示された要素によりシート搬送装置ＳＨが構成されている。
【００２７】
（定着装置）
図２は図１に示す定着装置の全体説明図で斜視図である。
図３は図２のIII−III線断面の要部説明図で、加圧ベルトが加熱ロールに圧接している状態を示す図である。
図４は前記図２のIＶ−IＶ線断面の要部説明図で、加圧ベルトが加熱ロールから離隔している状態を示す図である。
図５は前記図２のＶ−Ｖ線断面の要部説明図で、加圧ベルトが加熱ロールに圧接し且つシート剥離部材を定着動作位置に保持した状態を示す図である。
図６は前記図２のＶI−ＶI線断面の要部説明図で、加圧ベルトが加熱ロールに圧接し且つシート剥離部材を定着ロール表面から離れた離隔位置に保持した状態を示す図である。
【００２８】
図２〜図６において、定着装置Ｆは、一対の回動レバー支持フレーム（移動部材支持フレーム）としてのフロント側の固定プレート１およびリア側の固定プレート２と、それらの上部どうしを連結する連結部材ＴＢ１およびそれらの左側下部どうしを連結する図示しない連結部材等を有している。前記連結部材ＴＢ１等により連結されたフロント側固定プレート１およびリア側固定プレート２は画像形成装置Ｕのフレーム（図示せず）に固定されている。前記フロント側の固定プレート１およびリア側の固定プレート２により加熱ロールＦｈが回転可能に支持されており、加熱ロールＦｈの後端部には図示しないモータおよび回転力伝達部材により回転力が伝達されるように構成されている。
【００２９】
図７は前記フロント側の固定プレート１およびリア側の固定プレート２とその内面に支持される移動部材としての回動レバー（可動支持部材）３および４の平面図である。
図２、図３、図７において、フロント側の固定プレート１およびリア側の固定プレート２にはそれらの上端部に直角に折り曲げられたロッド連結部１ａ，２ａが設けられており、左側（−Ｙ側）には内側に突出するレバー支持軸１ｂ，２ｂが設けられている。前記ロッド連結部１ａ，２ａはロッド連結用ネジ孔１ａ1，２ａ1を有している。
図８は回動レバー３および４の斜視図である。
図７、図８において、レバー支持軸１ｂに回動可能に支持される回動レバー３は金属板を折り曲げて形成されており、ピン嵌合部３ａ、ロッド貫通部３ｂ、ベアリング支持溝３ｃ、間隔保持部３ｄ、およびロッド貫通孔３ｅを有している。前記ロッド貫通部３ｂおよび間隔保持部３ｄのＸ軸方向（図７参照）の幅Ｄは同一であり、図７の２点鎖線で示すように、回動レバー３のピン嵌合部３ａが前記ロッド連結部１ａに嵌合状態で支持され且つフロント側の固定プレート１の内側面と接触した状態では、回動レバー３の側面およびフロント側の固定プレート１の側面が平行となるように構成されている。
レバー支持軸２ｂに回動可能に支持される回動レバー４も前記回動レバー３と同様に構成されており、前記符号３ａ〜３ｅで示す要素と同様の要素４ａ〜４ｅを有している。
【００３０】
図２〜図６において、前記フロント側の固定プレート１およびリア側の固定プレート２のレバー支持軸１ｂ，２ｂに回動可能に支持された前記回動レバー３，４の板状のロッド貫通部３ｂ，４ｂには、ロッド６，６がその軸方向にスライド可能に貫通するロッド貫通孔３ｅ，４ｅ（図７参照）が形成されている。前記ロッド６は、前記固定フレームに連結するフレーム連結部６ａと、バネ支持端部６ｂと、前記フレーム連結部６ａおよびバネ支持端部６ｂ間を接続するロッド状のバネ装着部６ｃとを有している。前記ロッド６，６の上端部に形成された前記フレーム連結部６ａ，６ａは、前記フロント側の固定プレート１およびリア側の固定プレート２のロッド連結部１ａ，２ａに形成されたロッド連結用ネジ孔１ａ1，２ａ1に螺合して連結されている。ロッド６，６は、前記固定フレーム１，２への連結時に前記固定フレーム１，２への連結位置を調節可能である。
バネ支持端部６ｂ，６ｂと回動レバー３，４のロッド貫通部３ｂ，４ｂとの間に圧縮ばね（弾性部材）７，７がスライド可能且つ圧縮可能に装着されている。したがって、ロッド６，６は前記圧縮バネ（弾性部材）７，７をロッド６，６の軸方向にガイドするガイド部材として構成され、且つ、前記固定フレーム１，２への連結時に前記固定フレーム１，２への連結位置を調節可能な一対のガイド部材６，６として構成されている。
圧縮バネ７，７の下端部はロッド６，６にスライド可能に装着された段付ワッシャ（スライド部材）８により支持されている。
【００３１】
また、前記フロント側の固定プレート１およびリア側の固定プレート２により回転操作軸９が回転可能に支持されており、前記回転操作軸９の前端部には操作ハンドル（レバー回動操作部材）１１（図２参照）が固定されている。回転操作軸９の両端部にはそれぞれ、前記フロント側の固定プレート１またはリア側の固定プレート２の内側面に隣接する位置に、加圧ロール（定着用加圧回転部材）Ｆｐを昇降させるための昇降カム１２（図４参照）がねじＮ１により固定されている。前記符号９および１２で示された要素によりレバー回動位置調節部材（９，１２）が構成されている。
また図５、図６において、回転操作軸９には前記昇降カム１２の内側に剥離部材移動用カム１３がねじＮ２により固定されている。
前記操作ハンドル１１が図２の状態にあるときには、前記昇降カム１２は図３の位置に保持され、剥離部材移動用カム１３は図５の位置に保持される。また、前記操作ハンドル１１が図２から半時計方向に回転すると、前記昇降カム１２は図３の位置から図４の位置に回転し、剥離部材移動用カム１３は図５の位置から図６の位置に回転する。
【００３２】
図２、図５、図６において、前記回転操作軸９に回転可能に支持される剥離部材支持部材１６は、Ｕを横にした形の断面形状を有し前記回転操作軸９の３方を囲むように配置した中央部分１６ａ（図２参照）と、その両端に設けた軸装着部１６ｂ，１６ｂ（図２参照）とを有している。前記軸装着部１６ｂ，１６ｂは前記回転操作軸９に回転可能に嵌合している。
剥離部材支持部材１６にはガイドロール支持用板ばね１７および板ばね固定部材１８がねじＮ３により固定されている。図５、図６において、ガイドロール支持用板ばね１７の下端部には複数のガイドロール１９が回転可能に支持されている。
【００３３】
図５、図６において、前記剥離部材支持部材１６の中央部分１６ａの下側部分の下面には複数のナット２１が長手方向（Ｘ軸方向）に間隔を空けて固着されている。前記ナット２１には連結ボルト２２が下側から螺合している。前記連結ボルト２２には、ボルト頭部２２ａの上側にナット２３が螺合している。
前記各連結ボルト２２の下端部に連結される剥離部材２４は、記録シートＳを加熱ロールＦｈ表面から剥離させるためのシート状剥離部材（すなわち、剥離シート）２５と、前記剥離シート２５を支持する板状の弾性のある剥離シート支持板２６とを有しており、前記剥離シート支持板２６は前記ボルト頭部２２ａとナット２３との間に挟持されている。
【００３４】
図５、図６において、前記中央部分１６ａと前記回転操作軸９回りに回転可能な軸装着部１６ｂ，１６ｂ（図２参照）とを有する剥離部材支持部材１６が回転操作軸９回りに回転したとき、前記中央部分１６ａの側面に連結された前記ガイドロール支持用板ばね１７、板ばね固定部材１８、ねじＮ３および複数のガイドロール１９と、中央部分１６ａの下部に支持された剥離部材２４等は、前記剥離部材支持部材１６と共に前記回転操作軸９回りに回転する。
図５、図６において、フロント側の固定プレート１およびリア側の固定プレート２にはねじＮ４により板ばね２７の一端部が支持されており、板ばね２７の自由端部は前記剥離部材支持部材１６の中央部分１６ａに係止されている。そして、前記回転操作軸９上に回転可能に支持された剥離部材支持部材１６は、前記板ばね２７により通常時は図３および図５に示す位置に保持されている。そして、剥離部材支持部材１６は、回転操作軸９が図５の回転位置から図６の回転位置に移動して、剥離部材移動用カム１３が剥離部材支持部材１６の中央部分１６ａを下方に加圧したとき（図６参照）に、回転操作軸９回りに反時計方向に回転するように構成されている。
【００３５】
（実施例１の作用）
前記構成を備えた実施例１の定着装置では、図２の操作ハンドル１１を回転操作することにより、図３および図５に示す圧接位置（加熱ロールＦｈおよび加圧ロールＦｐが圧接する位置）と、図４および図６に示す離隔位置（加熱ロールＦｈおよび加圧ロールＦｐが離隔している位置）との間で加圧ロールＦｐを移動させることができる。
前記圧接位置においては、圧縮バネ７は、前記加圧ロールＦｐを前記加熱ロールＦｈに向けて押圧する。この圧接位置において、加熱ロールＦｈが回転すると、加熱ロールＦｈの回転に伴って加圧ロールＦｐが回転する。
【００３６】
操作ハンドル１１が図２の位置にあるときには、回転操作軸９および回転操作軸９に固定された昇降カム１２は、図３に示す位置に保持されている。またこのとき、前記加圧ロールＦｐは加熱ロール（定着用加熱回転部材）Ｆｈに圧接する定着位置（図３、図５に示す位置）に保持されている。
前記操作ハンドル１１を図２に示す位置から反時計方向に回転させると、回転操作軸９は前記図３、図５に示す位置から図４、図６に示す位置に回転する。このとき、昇降カム１２は回転操作軸９と共に反時計方向に回転し、図３の位置から図４の位置に回転する。このとき、昇降カム１２により回動レバー３，４のロッド貫通部３ｂ，４ｂが下方に押圧されるため、回動レバー３，４はレバー支持軸１ｂ，２ｂ回りに時計方向に回転し、加圧ロールＦｐは、図３の定着位置（加熱ロールＦｈに圧接する位置）から図４の離隔位置（加熱ロールＦｈから離隔した位置）に移動する。
【００３７】
また、前記回転操作軸９および昇降カム１２が図３の位置から図４の位置に移動すると同時に、図５に示す剥離部材移動用カム１３は回転操作軸９と共に反時計方向に回転して図６の位置に回転する。この図６に示す位置では、剥離部材移動用カム１３は前記剥離部材支持部材１６の中央部分１６ａを下方に押圧するので、前記剥離部材支持部材１６は前記図５に示す位置から回転操作軸９上で反時計方向に回転して図６に示す位置に回転する。このとき、剥離部材２４は図５の定着位置（剥離シート２５先端が加熱ロールＦｈ表面に近接する位置）から図６に示す離隔位置（剥離シート２５先端が加熱ロールＦｈ表面から離隔した位置）に移動する。
したがって、図２の操作ハンドル１１を回転操作することにより、加圧ロールＦｐを加熱ロールＦｈ表面に離隔、圧接させると同時に、剥離シート２５の先端部を加熱ロール（定着用加熱回転部材）Ｆｈ表面に離隔、接近させることができる。
【００３８】
前記回転操作軸９、昇降カム１２および剥離部材移動用カム１３を回転させると同時に回動レバー３，４を回動させることができ、そのときに、回動レバー３，４に支持された、加圧ロールＦｐを定着ロールＦｈに対して離隔した離隔位置と圧接した圧接位置との間で容易に移動させることができる。その時同時に、剥離部材２４を加熱ロールＦｈから離隔させたり接近させたりすることができる。このため、定着装置でジャム（紙詰まり）が発生した場合には、前記回転操作軸９を回転させるだけで、容易にジャム処理を行うことができる。
【００３９】
（実施例１の定着圧力調節方法）
図９はロッド（ガイド部材）の上端部（連結部）を前記フロントプレートのロッド連結部に連結する方法の説明図で、図９Ａはロッド連結部のロッド連結用ネジ孔１ａ1にロッド先端部の雄ネジを螺合させて仮に連結した状態を示す図、図９Ｂは圧縮バネ７の下端を支持する段付ワッシャに治具を嵌合させて設定された力で段付ワッシャを上昇させた状態を示す図、図９Ｃは段付ワッシャに所定の力を負荷した状態を保持したままロッドを回転させて上昇させ前記バネ支持端部を前記段付ワッシャの下面に当接させた状態を示す図、図９Ｄは前記図９Ｃの状態から治具Ｔを離脱させた状態を示す図である。
図９Ａには回動レバー３を貫通し且つ固定フレーム１に連結されたロッド６が記載されているが、前記図２に示す回動レバー４を貫通し且つ固定フレーム２に連結されたロッド６も図９Ａと同じ状態に保持されている。
以後、固定フレーム１へのロッド６の連結作業のみについて説明するが、固定フレーム２へのロッド６の連結作業も、同時に同様に行う。
【００４０】
図９Ｂでは治具Ｔにより段付ワッシャ８を持ち上げて、設定した力（荷重）で圧縮バネ７を圧縮している。この状態では、前記図３に示す加圧ロールＦｐは設定された加圧力で加熱ロールＦｈに圧接される。
図９Ｃの状態において、段付ワッシャに所定の力を負荷した状態を保持したままロッド６を回転させて上昇させ、バネ支持端部６ｂを段付ワッシャ８の下端に当接させる。
次に、図９Ｄに示すように、治具Ｔを段付ワッシャ８から取り外す。
前記図９Ａ〜図９Ｄに示す、固定フレーム１，２へのロッド６，６の連結作業を行うことにより、加熱ロールＦｈと加圧ロールＦｐとの圧接領域である定着ニップの荷重を軸方向の両端部で等しくすることができ、また、定着ニップの総荷重も設定値に設定することができる。
【００４１】
（実施例２）
図１０は本発明の実施例２のロッド（ガイド部材）の上端部（連結部）を前記フロントプレートのロッド連結部に連結する方法の説明図で、図１０Ａはロッド連結部のロッド連結用ネジ孔１ａ1にロッド先端部の雄ネジを螺合させて仮に連結した状態を示す図、図１０Ｂは圧縮バネ７の下端を支持するワッシャに治具を嵌合させて設定された力で段付ワッシャを上昇させた状態を示す図、図１０Ｃはロッドを回転させて上昇させ前記バネ支持端部を前記ワッシャの下面に当接させた状態を示す図、図１０Ｄは前記図１０Ｃの状態から治具Ｔを離脱させた状態を示す図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【００４２】
前記実施例１では圧縮バネ７の下端を支持し且つロッド６にスライド可能に支持されたワッシャが段付ワッシャ８により構成されていたのに対し、本実施例２で普通のワッシャ（スライド部材）８′が使用されている。また、本実施例２のロッド６下端のバネ支持端部６ｂはその上端部に小径部６ｂ１が形成されている。
【００４３】
（実施例２の作用）
図１０Ａには回動レバー３を貫通し且つ固定フレーム１に連結されたロッド６が記載されているが、前記図２に示す回動レバー４を貫通し且つ固定フレーム２に連結されたロッド６も図１０Ａと同じ状態に保持されている。
以後、固定フレーム１へのロッド６の連結作業のみについて説明するが、固定フレーム２へのロッド６の連結作業も、同様に行う。
図１０Ａの状態で治具Ｔを前記ロッド６下端のバネ支持端部６ｂの小径部６ｂ1に嵌合させてから治具Ｔを設定した力で上昇させると図１０Ｂの状態となる。
【００４４】
図１０Ｂでは治具Ｔによりワッシャ８′を持ち上げて、設定した力（荷重）で圧縮バネ７を圧縮している。この状態では、前記図３に示す加圧ロールＦｐは設定された加圧力で加熱ロールＦｈに圧接される。
図１０Ｃの状態において、ワッシャに所定の力を負荷した状態を保持したままロッド６を回転させて上昇させ、バネ支持端部６ｂの小径部６ｂ１の上端をワッシャ８′の下端に当接させる。
次に、図１０Ｄに示すように、治具Ｔをワッシャ８′から取り外す。
前記図１０Ａ〜図１０Ｄに示す、固定フレーム１，２へのロッド６，６の連結作業を行うことにより、加熱ロールＦｈと加圧ロールＦｐとの圧接領域である定着ニップの荷重を軸方向の両端部で等しくすることができ、また、定着ニップの総荷重も設定値に設定することができる。
【００４５】
（実施例３）
図１１は本発明の実施例３のロッド（ガイド部材）の上端部（連結部）を前記フロントプレートのロッド連結部に連結する方法の説明図で、図１１Ａはロッド連結部のロッド連結用貫通孔１ａ2にロッド先端部の雄ネジ部を貫通させた状態を示す図、図１１Ｂは圧縮バネ７の下端を支持するバネ支持端部の下面に治具を押しつけて設定された力でロッドを上昇させた状態を示す図、図１１Ｃは上昇したロッド先端部のフレーム連結部６ａにナットＮＴを螺合させる前の状態を示す図、図１１Ｄは前記図１１Ｃの状態でナットＮＴを締結してから治具Ｔを離脱させた状態を示す図である。
なお、この実施例３の説明において、前記実施例１の構成要素に対応する構成要素には同一の符号を付して、その詳細な説明を省略する。
この実施例３は、下記の点で前記実施例１と相違しているが、他の点では前記実施例１と同様に構成されている。
【００４６】
前記実施例１では圧縮バネ７の下端を支持し且つロッド６にスライド可能に支持された段付ワッシャ８を使用していたが、この実施例３では前記段付ワッシャ８は使用していない。また、固定フレーム１のロッド連結部１ａには前記実施例１ではロッド連結用ネジ孔１ａが形成されていたが、この実施例３ではロッド連結用貫通孔１ａ2が形成されている。
【００４７】
（実施例３の作用）
図１１Ａには回動レバー３を貫通し且つ固定フレーム１を貫通したロッド６のみが記載されているが、前記図２に示す回動レバー４を貫通し且つ固定フレーム２を貫通したロッド６も図１１Ａと同じ状態に保持されている。
以後、固定フレーム１へのロッド６の連結作業のみについて説明するが、固定フレーム２へのロッド６の連結作業も、同様に行う。
図１１Ａの状態で治具Ｔを前記ロッド６下面に嵌合させてから治具Ｔを設定した力で上昇させると図１１Ｂの状態となる。
【００４８】
図１１Ｂでは治具Ｔによりロッド６を持ち上げて、設定した力（荷重）で圧縮バネ７を圧縮している。この状態では、前記図３に示す加圧ロールＦｐは設定された加圧力で加熱ロールＦｈに圧接される。
図１１Ｃの状態において、ロッド６の先端部のフレーム連結部６ａにナットＮＴ（図１１Ｃ参照）を螺合させて、前記ナットＮＴを締付けると図１１Ｄの状態となる。この状態では、加熱ロールＦｈに圧接された加圧ロールＦｐは加熱ロールＦｈからの反力により下方へ押圧されており、加圧ロールＦｐを支持する回動レバー３も下方に押圧されている。このため、前記ロッド６の上端部のフレーム連結部６ａに連結されたナットＮＴにより、ロッド６は固定フレーム１のロッド連結用貫通孔１ａ2に連結される。
前記図１１Ａ〜図１１Ｄに示す、固定フレーム１，２へのロッド６，６の連結作業を行うことにより、加熱ロールＦｈと加圧ロールＦｐとの圧接領域である定着ニップの荷重を軸方向の両端部で等しくすることができ、また、定着ニップの総荷重も設定値に設定することができる。
【００４９】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更実施の形態を下記に例示する。
（Ｈ01）回転操作軸の回転は操作ハンドルを使用する代わりに、駆動モータ、またはソレノイド等を使用して回転させることが可能である。
（Ｈ02）前記各実施例では加圧ロール（加圧回転部部材）を加熱ロール（加熱回転部材）に押圧するように構成しているが、加熱ロール（加熱回転部材）を加圧ロール（加圧回転部材）に押圧するように構成することが可能である。
（Ｈ03）本発明の加圧回転部材としては、実施例で示した加圧ロールＦｐの代わりに従来公知の種々の回転加圧ベルトを使用可能である。
【００５０】
【発明の効果】
前述の本発明の画像形成装置は、下記の効果（Ｅ01），（Ｅ02）を奏することができる。
（Ｅ01）加熱回転部材および加圧回転部材の圧接領域である定着ニップのニップ荷重を均一にすることができる。
（Ｅ02）各定着装置における定着ニップの総荷重を一定とすることが可能な定着装置を提供することができる。
【図面の簡単な説明】
【図１】  図１は本発明の実施例１の定着装置を備えた定着装置を有するカラー画像形成装置の説明図である。
【図２】  図２は図１に示す定着装置の全体説明図で斜視図である。
【図３】  図３は図２のIII−III線断面の要部説明図で、加圧ベルトが加熱ロールに圧接している状態を示す図である。
【図４】  図４は前記図２のIＶ−IＶ線断面の要部説明図で、加圧ベルトが加熱ロールから離隔している状態を示す図である。
【図５】  図５は前記図２のＶ−Ｖ線断面の要部説明図で、加圧ベルトが加熱ロールに圧接し且つシート剥離部材を定着動作位置に保持した状態を示す図である。
【図６】  図６は前記図２のＶI−ＶI線断面の要部説明図で、加圧ベルトが加熱ロールに圧接し且つシート剥離部材を定着ロール表面から離れた離隔位置に保持した状態を示す図である。
【図７】  図７は前記フロント側の固定プレート１およびリア側の固定プレート２とその内面に支持される移動部材としての回動レバー３および４の平面図である。
【図８】  図８は回動レバー３および４の斜視図である。
【図９】  図９はロッド（ガイド部材）の上端部（連結部）を前記フロントプレートのロッド連結部に連結する方法の説明図で、図９Ａはロッド連結部のロッド連結用ネジ孔１ａ1にロッド先端部の雄ネジを螺合させて仮に連結した状態を示す図、図９Ｂは圧縮バネ７の下端を支持する段付ワッシャに治具を嵌合させて設定された力で段付ワッシャを上昇させた状態を示す図、図９Ｃはロッドを回転させて上昇させ前記バネ支持端部を前記段付ワッシャの下面に当接させた状態を示す図、図９Ｄは前記図９Ｃの状態から治具Ｔを離脱させた状態を示す図である。
【図１０】  図１０は本発明の実施例２のロッド（ガイド部材）の上端部（連結部）を前記フロントプレートのロッド連結部に連結する方法の説明図で、図１０Ａはロッド連結部のロッド連結用ネジ孔１ａ1にロッド先端部の雄ネジを螺合させて仮に連結した状態を示す図、図１０Ｂは圧縮バネ７の下端を支持するワッシャに治具を嵌合させて設定された力で段付ワッシャを上昇させた状態を示す図、図１０Ｃはロッドを回転させて上昇させ前記バネ支持端部を前記ワッシャの下面に当接させた状態を示す図、図１０Ｄは前記図１０Ｃの状態から治具Ｔを離脱させた状態を示す図である。
【図１１】  図１１は本発明の実施例３のロッド（ガイド部材）の上端部（連結部）を前記フロントプレートのロッド連結部に連結する方法の説明図で、図１１Ａはロッド連結部のロッド連結用貫通孔１ａ2にロッド先端部の雄ネジ部を貫通させて仮に連結した状態を示す図、図１１Ｂは圧縮バネ７の下端を支持するバネ支持端部の下面に治具を押しつけて設定された力でロッドを上昇させた状態を示す図、図１１Ｃは上昇したロッド先端部のフレーム連結部６ａにナットＮＴを螺合させる前の状態を示す図、図１１Ｄは前記図１１Ｃの状態でナットＮＴを締結してから治具Ｔを離脱させた状態を示す図である。
【符号の説明】
Ｆ…定着装置、Ｆｈ…加熱回転部材（加熱ロール）、Ｆｐ…加圧回転部材（加圧ロール）、ＮＴ…ナット、Ｑ５…定着ニップ、Ｓ…記録シート、Ｔ…治具、
１，２…固定フレーム、１ａ2…ロッド連結用貫通孔、３，４…可動支持部材、６…ガイド部材、６ａ…フレーム連結部、６ｂ…バネ支持端部、６ｃ…バネ装着部、７…弾性部材（圧縮コイルバネ）、８，８′…スライド部材（段付ワッシャ、ワッシャ）、
【図１】
0003885534.tif 000002
【図２】
0003885534.tif 000003
【図３】
0003885534.tif 000004
【図４】
0003885534.tif 000005
【図５】
0003885534.tif 000006
【図６】
0003885534.tif 000007
【図７】
0003885534.tif 000008
【図８】
0003885534.tif 000009
【図９】
0003885534.tif 000010
【図１０】
0003885534.tif 000011
【図１１】
0003885534.tif 000012